(57)【要約】【課題】保守点検作業時の安全性を高めることができる換気扇装置およびこの換気扇装置を備えた建物を提供する。【解決手段】建物の壁１２に設けられ、建物の換気を行う換気扇装置１０であって、壁１２に設けた開口部１４に開閉自在に取り付けられる開き戸式の点検扉１６と、点検扉１６を貫通する空気通路１８と、点検扉１６に取り付けられ、空気通路１８を介して建物の屋内外を換気する換気扇２０とを備えるようにする。【選択図】図１
2016065647.tif 000002
【特許請求の範囲】
【請求項１】
建物の壁に設けられ、前記建物の換気を行う換気扇装置であって、
前記壁に設けた開口部に開閉自在に取り付けられる開き戸式の点検扉と、前記点検扉を貫通する空気通路と、前記点検扉に取り付けられ、前記空気通路を介して前記建物の屋内外を換気する換気扇とを備えることを特徴とする換気扇装置。
【請求項２】
前記点検扉を開いた状態に保持する保持手段をさらに備えることを特徴とする請求項１に記載の換気扇装置。
【請求項３】
前記点検扉の屋外側に取り付けられ、前記空気通路の出口を通気可能に覆うフードカバーをさらに備えることを特徴とする請求項１または２に記載の換気扇装置。
【請求項４】
前記換気扇を前記点検扉の屋内側に取り付け、閉じた状態の前記点検扉を屋外側から引き操作して開くようにしたことを特徴とする請求項１〜３のいずれか一つに記載の換気扇装置。
【請求項５】
前記壁の高い位置に設け、屋内の天井付近の熱気を換気により屋外に排出するものであることを特徴とする請求項１〜４のいずれか一つに記載の換気扇装置。
【請求項６】
請求項１〜５のいずれか一つに記載の換気扇装置を備えた建物。
【請求項７】
前記壁の高い位置に前記換気扇装置および採光用の高窓を備えることを特徴とする請求項６に記載の建物。
【請求項８】
前記点検扉にアクセスするための足場をさらに備えることを特徴とする請求項６または７に記載の建物。
【発明の詳細な説明】
【技術分野】
【０００１】
本発明は、屋内の換気を行う換気扇装置およびこの換気扇装置を備えた建物に関し、例えば、屋内の天井付近に溜まった熱気を屋外に排出する熱気抜き用の換気扇装置およびこの換気扇装置を備えた建物に関するものである。
【背景技術】
【０００２】
従来、壁の高い位置に採光用の高窓を設けたハイサイドライト方式などの建物においては、天井付近に熱気がこもりやすいことから、壁の高い位置に熱気抜き用の換気扇を設け、天井付近の熱気を換気により屋外に排出することがある（例えば、特許文献１、２を参照）。熱気を屋外に除去することで屋内温度が下がるため、屋内の快適性向上につながる。
【０００３】
図４は、こうした建物の外観の一例を示したものである。この図に示すように、建物１の正面の壁２の高い位置に採光用の高窓３が設けてあり、側面の壁４の高い位置に熱気抜き用の換気扇５（有圧換気扇）およびフードカバー６が設けてある。また、換気扇５の近傍には、換気扇５を保守点検するための点検扉７が設けてある。そして、保守点検時には、作業員が屋外側に設置した足場を伝い上って点検扉７を開き、開口部より身体を屋内側に乗り出して換気扇５を覗き込み、換気扇５の部品取替や清掃などの保守点検作業を行っていた。
【先行技術文献】
【特許文献】
【０００４】
【特許文献１】特開平１０−２５３１２１号公報
【特許文献２】特開平１０−３００１２２号公報
【発明の概要】
【発明が解決しようとする課題】
【０００５】
上述したように、壁の高い位置に設けた換気扇の保守点検作業を行うに際しては、作業員は開口部より身体を屋内側に乗り出して換気扇を覗き込む態様で行うことから、誤って転落や墜落するおそれも否定できない。このため、換気扇の保守点検作業時の安全性を高めることができる技術が求められていた。
【０００６】
本発明は、上記に鑑みてなされたものであって、保守点検作業時の安全性を高めることができる換気扇装置およびこの換気扇装置を備えた建物を提供することを目的とする。
【課題を解決するための手段】
【０００７】
上記した課題を解決し、目的を達成するために、本発明に係る換気扇装置は、建物の壁に設けられ、前記建物の換気を行う換気扇装置であって、前記壁に設けた開口部に開閉自在に取り付けられる開き戸式の点検扉と、前記点検扉を貫通する空気通路と、前記点検扉に取り付けられ、前記空気通路を介して前記建物の屋内外を換気する換気扇とを備えることを特徴とする。
【０００８】
また、本発明に係る他の換気扇装置は、上述した発明において、前記点検扉を開いた状態に保持する保持手段をさらに備えることを特徴とする。
【０００９】
また、本発明に係る他の換気扇装置は、上述した発明において、前記点検扉の屋外側に取り付けられ、前記空気通路の出口を通気可能に覆うフードカバーをさらに備えることを特徴とする。
【００１０】
また、本発明に係る他の換気扇装置は、上述した発明において、前記換気扇を前記点検扉の屋内側に取り付け、閉じた状態の前記点検扉を屋外側から引き操作して開くようにしたことを特徴とする。
【００１１】
また、本発明に係る他の換気扇装置は、上述した発明において、前記壁の高い位置に設け、屋内の天井付近の熱気を換気により屋外に排出するものであることを特徴とする。
【００１２】
また、本発明に係る建物は、上述した換気扇装置を備えた建物である。
【００１３】
また、本発明に係る他の建物は、上述した発明において、前記壁の高い位置に前記換気扇装置および採光用の高窓を備えることを特徴とする。
【００１４】
また、本発明に係る他の建物は、上述した発明において、前記点検扉にアクセスするための足場をさらに備えることを特徴とする。
【発明の効果】
【００１５】
本発明に係る換気扇装置によれば、建物の壁に設けられ、前記建物の換気を行う換気扇装置であって、前記壁に設けた開口部に開閉自在に取り付けられる開き戸式の点検扉と、前記点検扉を貫通する空気通路と、前記点検扉に取り付けられ、前記空気通路を介して前記建物の屋内外を換気する換気扇とを備えるので、換気扇の部品取替や清掃などの保守点検作業時には点検扉を開くことで、作業員は点検扉に取り付けられた換気扇をそのまま手で扱えるようになる。このため、従来のように点検扉の開口部より身体を乗り出して、換気扇を覗き込みながら保守点検作業を行う必要はない。したがって、本発明によれば、保守点検作業時の安全性を高めることができるという効果を奏する。
【００１６】
また、本発明に係る他の換気扇装置によれば、前記点検扉を開いた状態に保持する保持手段をさらに備えるので、開いた状態の点検扉が不意に閉じるのを防ぐことができ、保守点検作業をより確実かつ安全に行うことができるという効果を奏する。
【００１７】
また、本発明に係る他の換気扇装置によれば、前記点検扉の屋外側に取り付けられ、前記空気通路の出口を通気可能に覆うフードカバーをさらに備えるので、屋外側からの雨水等の浸入を防ぐことができるという効果を奏する。
【００１８】
また、本発明に係る他の換気扇装置によれば、前記換気扇を前記点検扉の屋内側に取り付け、閉じた状態の前記点検扉を屋外側から引き操作して開くようにしたので、屋外側から点検扉を開くことで、点検扉の屋内側に取り付けられた換気扇が作業員の手元に位置するようになり、換気扇の保守点検作業を屋外側から安全かつ容易に行うことができるという効果を奏する。
【００１９】
また、本発明に係る他の換気扇装置によれば、前記壁の高い位置に設け、屋内の天井付近の熱気を換気により屋外に排出するものであるので、例えば壁の高い位置に採光用の高窓を設けたハイサイドライト方式などの建物に適用する場合において、換気扇用の開口部を点検扉用として兼用することができ、壁に対する開口部の設置数が減って換気に係る設備コストを低減することができるという効果を奏する。また、壁の高い位置に設けた換気扇の保守点検作業をより安全かつ容易に行うことができるという効果を奏する。
【００２０】
また、本発明に係る建物によれば、上述した換気扇装置を備えた建物であるので、壁に設ける開口部を換気扇用と点検扉用とで兼用することができ、壁に対する開口部の設置数が減って換気に係る設備コストを低減することができるという効果を奏する。
【００２１】
また、本発明に係る他の建物によれば、前記壁の高い位置に前記換気扇装置および採光用の高窓を備えるので、ハイサイドライト方式などの建物において、壁の高い位置に設けた換気扇の保守点検作業をより安全かつ容易に行うことができるという効果を奏する。
【００２２】
また、本発明に係る他の建物によれば、前記点検扉にアクセスするための足場をさらに備えるので、作業員はこの足場を介して換気扇に容易にアクセスすることができ、保守点検作業をより安全かつ容易に行うことができるという効果を奏する。
【図面の簡単な説明】
【００２３】
【図１】図１は、本発明に係る換気扇装置の実施の形態を示す概略斜視図であり、点検扉が閉じている場合の図である。
【図２】図２は、本発明に係る換気扇装置の実施の形態を示す概略斜視図であり、点検扉が開いている場合の図である。
【図３】図３は、図１の側断面図である。
【図４】図４は、従来の建物の外観の一例であり、熱気抜き用換気扇と点検扉の位置を示す図である。
【発明を実施するための形態】
【００２４】
以下に、本発明に係る換気扇装置およびこの換気扇装置を備えた建物の実施の形態を図面に基づいて詳細に説明する。なお、この実施の形態によりこの発明が限定されるものではない。
【００２５】
図１〜図３に示すように、本発明に係る換気扇装置１０は、建物の壁１２の高い位置に設けられ、建物の換気を行う換気扇装置である。この換気扇装置１０は、壁１２に設けた開口部１４に開閉自在に取り付けられる開き戸式の点検扉１６と、点検扉１６を貫通する空気通路１８と、点検扉１６に取り付けられ、空気通路１８を介して建物の屋内外を換気する換気扇２０とを備える。
【００２６】
点検扉１６の屋外側Ａには、空気通路１８の出口を通気可能に覆うフードカバー２２が取り付けられている。フードカバー２２の内部には、図示しない整流板が複数設けられ、下端開口２２ａには通気性の防鳥網３０が設けられている。フードカバー２２の側部開口２２ｂは空気通路１８の出口に連通している。空気通路１８の出口にフードカバー２２を取り付けることで、屋外側Ａからの雨水や小動物の浸入を防ぐことができる。なお、壁１２の上端には庇２４が取り付いている。
【００２７】
点検扉１６は正面視で矩形状の金属板材からなり、気密性を確保しつつ壁１２の開口部１４を閉塞可能な大きさに形成される。点検扉１６の中央には上述したように空気通路１８が貫通しており、矩形状断面の開口を形成している。
【００２８】
図２に示すように、点検扉１６の左右一方の上下両端部とその中間部の３カ所には、蝶番２６が設けられる。蝶番２６は、点検扉１６の屋内側Ｂの側部にボルト等により固定される蝶片２６ａと、壁１２の開口部１４の側部にボルト等により固定される蝶片２６ｂと、蝶片２６ａ，２６ｂを相対的に回動自在に連結する図示しない軸部とからなる。点検扉１６はこの蝶番２６を介して開口部１４を開閉可能となっている。また、図１および図２に示すように、点検扉１６の左右他方の端部にはハンドル２８が設けられ、このハンドル２８の操作によって点検扉１６を開口部１４に対して係脱操作できるようになっている。
【００２９】
ここで、換気扇装置１０は、点検扉１６を所定の開き角度で開いた状態に固定保持する図示しない保持手段をさらに備えている。この保持手段が、開いた状態の点検扉１６を動かないように固定保持することで、保守点検作業中に不意に点検扉１６が閉じるのを防ぐことができる。これにより、作業員は保守点検作業をより確実かつ安全に行うことができる。この保持手段は、点検扉１６を保守点検可能な所定の開き角度で開いた状態に固定保持するものであればよく、その限りにおいて保持手段の構成は任意であって様々な変形や応用が可能である。例えば、蝶番２６自体がこの保持手段の機能を有してもよいし、点検扉１６と壁１２、または点検扉１６と開口部１４との間につっかえ棒のような働きをする部材を介在させて保持手段を構成してもよい。あるいは、点検扉１６と壁１２とをチェーン等の係留索で接続する態様のもので保持手段を構成してもよい。
【００３０】
なお、点検扉１６は上記の構成に限るものではなく、例えば金属板材の上下左右端縁を後方にコ字状に折曲して開口部１４の周縁に設けた枠部の内部に嵌まり込む大きさ・形状に形成してもよい。また、蝶番２６の設置箇所は上下両端部とその中間部の３カ所に限るものではなく、換気扇２０等の点検扉１６に作用する荷重を長期間支持可能な設置数であればいかなる設置数でもよい。例えば蝶番２６を点検扉１６の上下両端部の２カ所だけに設置してもよいし、それに加えて中間部に所定間隔で２カ所以上設置してもよい。
【００３１】
換気扇２０は、図２および図３に示すように、羽根２０ａと、羽根２０ａを回転駆動するモータ２０ｂと、羽根２０ａおよびモータ２０ｂを格納固定するカバー２０ｃとからなる有圧換気扇であり、点検扉１６の屋内側Ｂに取り付けられる。
【００３２】
ここで、カバー２０ｃは通気性を有する枠状のものであり、羽根２０ａを回転させると、屋内側Ｂの空気はカバー２０ｃを通気して点検扉１６の空気通路１８に導かれるようになっている。
【００３３】
また、換気扇２０の下流側であって点検扉１６の屋内側Ｂには、図３に示すように、内部に複数の整流板３２を備える整流路３４が取り付けられている。整流路３４は換気扇２０から送り込まれる空気を整流板３２で整流して点検扉１６内部の空気通路１８に導くようになっている。なお、空気通路１８に送り出された空気は、フードカバー２２の側部開口２２ｂから内部を通過して下端開口２２ａより屋外側Ａに排出され、屋内側Ｂの空気が換気される。このように、換気扇装置１０内においては、屋内側Ｂから屋外側Ａに向けて換気流Ｗが形成されることになる。
【００３４】
なお、点検扉１６に取り付けられる換気扇２０とフードカバー２２の合計重量は、外形３０ｃｍ規模の金属製軸流羽根からなる有圧換気扇（風量２０００ｍ３／ｈ程度）およびステンレス製のフードカバー（開口幅４０ｃｍ×４０ｃｍ程度のもの）を用いた場合には、約２０ｋｇとなることが本発明者の検討により確認されている。したがって、点検扉１６として一般的なスチール製の点検扉（縦横長さ６０ｃｍ×６０ｃｍ程度のもの）を用いた場合には、上記の換気扇２０とフードカバー２２の合計重量を十分に支持可能であると考えられる。
【００３５】
本実施の形態に係る換気扇装置１０によれば、換気扇２０の部品取替や清掃などの保守点検作業時に点検扉１６を開くと、換気扇２０は点検扉１６と一体に動いて作業員の手元に位置するようになり、作業員は点検扉１６に取り付けられた換気扇２０をそのまま手で扱えるようになる。このように、点検扉１６に換気扇２０を設置することにより、点検扉１６を開いたときに換気扇２０の保守点検が可能となる。このため、従来のように点検扉の開口部より身体を乗り出して、換気扇を覗き込みながら保守点検作業を行う必要はない。したがって、本発明によれば、保守点検作業時の安全性を高めることができる。
【００３６】
また、本実施の形態に係る換気扇装置１０によれば、換気扇２０を点検扉１６の屋内側Ｂに取り付け、閉じた状態の点検扉１６のハンドル２８を屋外側Ａから引き操作して点検扉１６を開放可能としたことで、換気扇２０の保守点検作業を屋外側Ａから安全かつ容易に行うことができる。
【００３７】
また、本実施の形態に係る換気扇装置１０によれば、点検扉１６に換気扇機能を持たせることによって、換気扇用の開口部を点検扉用として兼用することができ、壁１２に対する開口部の設置数が減って換気に係る設備コストを低減することができる。
【００３８】
上記の実施の形態において、換気扇装置１０を建物の壁１２の高い位置に設け、屋内側Ｂの天井付近の熱気を換気により屋外側Ａに排出してもよい。この場合、例えば壁１２の高い位置に採光用の高窓を設けたハイサイドライト方式などの建物に上記の換気扇装置１０を適用する際に、換気扇用の開口部を点検扉用として兼用することができ、壁１２に対する開口部の設置数が減って換気に係る設備コストを低減することができる。また、壁１２の高い位置に設けた換気扇２０の保守点検作業をより安全かつ容易に行うことができる。
【００３９】
また、本発明に係る建物は、上述した換気扇装置１０を備えた建物として構成することができる。こうすることで、建物の壁１２に設ける開口部を換気扇用と点検扉用とで兼用することができ、壁１２に対する開口部の設置数が減って換気に係る設備コストを低減することができる。
【００４０】
ここで、本発明に係る建物は、壁１２の高い位置に上述した換気扇装置１０および採光用の高窓を備えてもよい。こうすることで、例えばハイサイドライト方式などの建物において、壁１２の高い位置に設けた換気扇２０の保守点検作業をより安全かつ容易に行うことができる。
【００４１】
また、本発明に係る建物は、上述した換気扇装置１０の点検扉１６にアクセスするための足場をさらに備えてもよい。こうすることで、作業員はこの足場を介して換気扇２０に容易にアクセスすることができ、保守点検作業をより安全かつ容易に行うことができる。
【００４２】
以上説明したように、本発明に係る換気扇装置によれば、建物の壁に設けられ、前記建物の換気を行う換気扇装置であって、前記壁に設けた開口部に開閉自在に取り付けられる開き戸式の点検扉と、前記点検扉を貫通する空気通路と、前記点検扉に取り付けられ、前記空気通路を介して前記建物の屋内外を換気する換気扇とを備えるので、換気扇の部品取替や清掃などの保守点検作業時には点検扉を開くことで、作業員は点検扉に取り付けられた換気扇をそのまま手で扱えるようになる。このため、従来のように点検扉の開口部より身体を乗り出して、換気扇を覗き込みながら保守点検作業を行う必要はない。したがって、本発明によれば、保守点検作業時の安全性を高めることができる。
【００４３】
また、本発明に係る他の換気扇装置によれば、前記点検扉を開いた状態に保持する保持手段をさらに備えるので、開いた状態の点検扉が不意に閉じるのを防ぐことができ、保守点検作業をより確実かつ安全に行うことができる。
【００４４】
また、本発明に係る他の換気扇装置によれば、前記点検扉の屋外側に取り付けられ、前記空気通路の出口を通気可能に覆うフードカバーをさらに備えるので、屋外側からの雨水等の浸入を防ぐことができる。
【００４５】
また、本発明に係る他の換気扇装置によれば、前記換気扇を前記点検扉の屋内側に取り付け、閉じた状態の前記点検扉を屋外側から引き操作して開くようにしたので、屋外側から点検扉を開くことで、点検扉の屋内側に取り付けられた換気扇が作業員の手元に位置するようになり、換気扇の保守点検作業を屋外側から安全かつ容易に行うことができる。
【００４６】
また、本発明に係る他の換気扇装置によれば、前記壁の高い位置に設け、屋内の天井付近の熱気を換気により屋外に排出するものであるので、例えば壁の高い位置に採光用の高窓を設けたハイサイドライト方式などの建物に適用する場合において、換気扇用の開口部を点検扉用として兼用することができ、壁に対する開口部の設置数が減って換気に係る設備コストを低減することができる。また、壁の高い位置に設けた換気扇の保守点検作業をより安全かつ容易に行うことができる。
【００４７】
また、本発明に係る建物によれば、上述した換気扇装置を備えた建物であるので、壁に設ける開口部を換気扇用と点検扉用とで兼用することができ、壁に対する開口部の設置数が減って換気に係る設備コストを低減することができる。
【００４８】
また、本発明に係る他の建物によれば、前記壁の高い位置に前記換気扇装置および採光用の高窓を備えるので、ハイサイドライト方式などの建物において、壁の高い位置に設けた換気扇の保守点検作業をより安全かつ容易に行うことができる。
【００４９】
また、本発明に係る他の建物によれば、前記点検扉にアクセスするための足場をさらに備えるので、作業員はこの足場を介して換気扇に容易にアクセスすることができ、保守点検作業をより安全かつ容易に行うことができる。
【産業上の利用可能性】
【００５０】
以上のように、本発明に係る換気扇装置およびこの換気扇装置を備えた建物は、屋内の天井付近に溜まった熱気を屋外に排出する熱気抜き用の換気扇装置およびこの換気扇装置を備えた建物に有用であり、特に、保守点検作業時の安全性を高めるのに適している。
【符号の説明】
【００５１】
１０  換気扇装置
１２  壁
１４  開口部
１６  点検扉
１８  空気通路
２０  換気扇
２０ａ  羽根
２０ｂ  モータ
２０ｃ  カバー
２２  フードカバー
２２ａ  下端開口
２２ｂ  側部開口
２４  庇
２６  蝶番
２６ａ，２６ｂ  蝶片
２８  ハンドル
３０  防鳥網
３２  整流板
３４  整流路
Ａ  屋外側
Ｂ  屋内側
Ｗ  換気流
【図１】
2016065647.tif 000003
【図２】
2016065647.tif 000004
【図３】
2016065647.tif 000005
【図４】
2016065647.tif 000006